(57)【要約】      （修正有）【課題】自宅で鍵・財布・定期券などが自宅家屋内で見つからなくなり困ることを解消するキーホルダを提供する。【解決手段】対象物をキーホルダに付ける。キーホルダはキーホルダ本体とキーホルダへ指示または情報受信するアプリの２つから構成され、キーホルダ本体は電池及びＷＩＦＩ通信機能・ＬＥＤ３点滅機能・バイブ（振動）機能を有する電子回路を内蔵し、アプリと通信してどこにあるかを音・光の点滅・振動などで示すことを特徴とする通信端末である。アプリはＰＣまたはスマフォへ使用前にインストールしておき、キーホルダ本体と通信してキーホルダ本体を制御及び地図表示するものである。【選択図】図１
0003223614.tif 000002
【実用新案登録請求の範囲】
【請求項１】
当キーホルダは、電池及びWIFI通信機能、LED点滅機能、バイブ（振動）機能を持つ電子回路を有し、WIFI通信により雷鳴もしくは接続WIFI情報を送信する機能を持つものである。
【請求項２】
当キーホルダを探すことを容易にするための以下の機能を有する。インターネット接続しているスマフォやPC（パソコン）からの指示によりキーホルダがビープ音及び発光とバイブ（振動）することによりどこにあるかを教えるものである。この『ビープ音及び発光とバイブ（振動）』のことを以降『雷鳴機能』と記す。
【請求項３】
キーホルダへ雷鳴指示を出すスマフォ及びPC用にそれぞれアプリケーションを用意する。そのアプリケーションを以降『指示アプリ』と記す。
指示アプリにはONボタン、OFFボタン、場所表示、地図表示がありそれぞれの使い方については以降の請求項にて記す。
【請求項４】
キーホルダが自宅内WIFI圏内に存在している場合、指示アプリのONボタン押下すると指示アプリの場所表示に『自宅内』と表示されるのみで雷鳴はしない。自宅内に存在することを確認し再度ONボタンを押下するとキーホルダは雷鳴を開始するので使用者は場所が分かり次第指示アプリのOFFボタンを押下することにより雷鳴を停止する。また雷鳴を開始後OFFボタンを押下しない場合でも１分（当時間は指示アプリにより変更可）時間経過後雷鳴停止し、指示アプリの場所表示も消える。
自宅内WIFI圏外の場合、場所表示には『自宅外』（公共WIFI接続有）、『不明』（公共WIFI接続無）の２通りがある。（都合『自宅内』『自宅外』『不明』の３通りの表示がある）
【請求項５】
キーホルダが公共のWIFIに接続有の場合、指示アプリのONボタンを押下すると指示アプリの場所表示には『自宅外』と表示され且つキーホルダの場所が地図上に示されるのみで雷鳴はしない。使用者はこの地図の場所に行き再度ONボタンを押下する。この時以下の３通りがある
（１）前回のWIFI接続が保持され、場所が変わってない場合
雷鳴開始し、その後は自宅内と同じである。
（２）直前の場所表示の時からWIFI接続が変わっているか場所が変わっている場合
直前のONボタン押下は最初のONボタン押下となり場所表示のみとなる。後は同様。
（３）WIFI接続が無い
指示アプリの場所表示が『不明』となり以降なにもできない。
【請求項６】
WIFI接続をしていることにより、付加機能として、小型メモリ（マイクロSDカードまたはそれに類するもの）を装着することにより、スマフォ、PC等の外部メモリとして使用を可能とする。接続は自宅内WIFI経由またはUSBケーブルによる直接接続の両方を可能とする。
【考案の詳細な説明】
【技術分野】
【０００１】
本考案は、外見はキーホルダ状のものにビープ音・バイブ・LED点滅及びWi-Fi通信機能を持つ装置を埋め込み、Wi-Fi通信によりそれを制御するものである。
【背景技術】
【０００２】
主に自宅内で鍵、財布、などどこにあるか不明で困ることがある。Wi-Fiを敷設している家庭が増えていること。スマフォ・PCの普及率が高いこと。Wi-Fi通信機能を持つ電子部品も安価になりWi-Fi経由で制御する装置を作成することが安価に可能となった。
【先行技術文献】
【特許文献】
【０００３】
【特許文献１】実用新案登録第３０９１８８１号（U3091881）  広報
【特許文献２】実用新案登録第３１３３２２８号（U3133228）  広報
【非特許文献】
【０００４】
【非特許文献１】『トランジスタ技術SPECIAL』, CQ出版社, 2018 Autumn No.144, p.52, p.105
【考案の概要】
【考案が解決しようとする課題】
【０００５】
主に自宅内で鍵、財布、などどこにあるか不明で困ることがある。
【課題を解決するための手段】
【０００６】
当キーホルダのビープ音・バイブ・LED点滅をスマフォまたはPCから制御することにより発見を容易にするものである。
【考案の効果】
【０００７】
スマフォ又はPCからキーホルダへビープ音・バイブ・LED点滅をONにする指示を送ることにより、ビープ音（聴覚）、LED点滅（視覚）、バイブ（触覚）のいずれかもしくは全てにより発見することができる。
【図面の簡単な説明】
【０００８】
【図１】本キーホルダの図面である
【図２】本キーホルダへ指示するアプリの画面の図面である
【考案を実施するための形態】
【０００９】
財布、鍵等を当キーホルダに付ける。
【実施例】
【００１０】
以下、添付図面に従って一実例を説明する。１はキーホルダの制御部本体で電池及びWi-Fi通信制御、ビープ音・バイブ・LED点滅制御、Wi-Fi特定制御等の機能を有する装置を内蔵するものである。
キーホルダが自宅内Wi-Fi圏内に存在している場合、指示アプリの  ５押し釦ONを押下すると指示アプリの４場所表示に『自宅内』と表示されるのみで雷鳴はしない。自宅内に存在することを確認し再度５押し釦ONを押下するとキーホルダは雷鳴を開始するので使用者は場所が分かり次第指示アプリの６押し釦OFFを押下することにより雷鳴を停止する。また雷鳴を開始後押し釦OFFを押下しない場合でも１分（当時間は指示アプリにより変更可）時間経過後雷鳴停止し、指示アプリの４場所表示も消える。雷鳴中は９の雷鳴中表示にBeep文字が点滅する。
自宅内Wi-Fi圏外の場合、４場所表示には『自宅外』（公共Wi-Fi接続有）、『不明』（公共Wi-Fi接続無）の２通りがある。（都合『自宅内』『自宅外』『不明』の３通りの表示がある）
【００１１】
キーホルダが公共のWi-Fiに接続有の場合、指示アプリの５押しボタンONを押下すると指示アプリの場所表示には『自宅外』と表示され且つキーホルダの場所が８地図上に示され且つその場所の住所が８に表示されるのみで雷鳴はしない。使用者はこの地図の場所に行き再度５押しボタンONを押下する。この時以下の３通りがある
（１）前回のWi-Fi接続が保持され、場所が変わってない場合
雷鳴開始し、その後は自宅内と同じである。
（２）直前の場所表示の時からWi-Fi接続が変わっているか場所が変わっている場合
直前の５押しボタンON押下は最初のONボタン押下となり場所表示のみとなる。後は同様。
（３）Wi-Fi接続が無い
指示アプリの場所表示が『不明』となり以降なにもできない。
【００１２】
Wi-Fi接続することにより、付加機能として、小型メモリ（マイクロSDカードまたはそれに類するもの）を装着することにより、スマフォ、PC等の外部メモリとして使用を可能とする。接続は自宅内Wi-Fi経由またはUSBケーブルによる直接接続の両方を可能とする。
【符号の説明】
【００１３】
１  キーホルダ制御部本体
２  鍵を出し入れできるステンレスの二重リング
３  LED（表裏両方からみえるようにする）
４  場所表示部。
５  押し釦ON 
６  押し釦OFF
７  自宅外の場合の住所表示
８  自宅外の場合の地図による位置表示
９  雷鳴中表示（Beep文字が点滅する）
【図１】
0003223614.tif 000003
【図２】
0003223614.tif 000004
【手続補正書】
【提出日】令和1年5月8日(2019.5.8)
【手続補正１】
【補正対象書類名】実用新案登録請求の範囲
【補正対象項目名】全文
【補正方法】変更
【補正の内容】
【実用新案登録請求の範囲】
【請求項１】
本キーホルダはキーホルダ本体とキーホルダへ指示または情報受信するアプリの２つから構成される。本キーホルダ本体は、電池及びWIFI通信機能、LED点滅機能、バイブ（振動）機能を有する電子回路を内蔵し後述するアプリと通信してどこにあるかを音・光の点滅・振動などで教えることを特徴とする通信端末である。アプリはPCまたは、スマフォへ使用前にインストールしておき、キーホルダの位置確認するために指示をするための通信ホストとなるものである。
【請求項２】
当キーホルダを装着した鍵等を探すことを容易にするための以下の機能を有するもので、インターネット接続しているスマフォやパソコンからの指示によりキーホルダがビープ音及び発光とバイブすることによりどこにあるかを教える特徴を有するキーホルダである。
注）標記についてパソコンを以降PCと記し、『ビープ音及び発光とバイブ』を以降『雷鳴』と記す
【請求項３】
キーホルダへ雷鳴指示を出すスマフォ及びPC用にそれぞれアプリケーションを用意し（当該アプリケーションを以降『指示アプリ』と記す）し、指示アプリにはONボタン・OFFボタン・場所表示・地図表示がありそれぞれの使い方については以降の請求項にて記す。
【請求項４】
本キーホルダが自宅内WIFI圏内に存在している場合、指示アプリのONボタン押下により指示アプリの場所表示に『自宅内』と表示されるのみで、自宅内に存在することを確認し再度ONボタンを押下するとキーホルダは雷鳴元の場所を特定次第指示アプリのOFFボタンを押下して雷鳴を停止する、もしも停止し忘れても１分間の時間経過後雷鳴停止し、指示アプリの場所表示も消える。
【請求項５】
キーホルダが公共のWIFIに接続有の場合、指示アプリのONボタンを押下し指示アプリの場所表示には『自宅外』と表示され且つキーホルダの場所が地図上に示されるのみで雷鳴はしないので使用者はこの地図の場所に行き再度ONボタンを押下する以下の３通りがあり
前回のWIFI接続が保持され、場所が変わってない場合
雷鳴開始し、その後は自宅内と同じである
直前の場所表示の時からWIFI接続が変わっているか場所が変わっている場合
最初からやり直しとなる
WIFI接続が無い場合
指示アプリの場所表示が『不明』となり以降なにもできない
以上の操作を行う。
【請求項６】
WIFI接続をしていることにより、付加機能として、マイクSDカード等の小型メモリを装着することにより、スマフォ、PC等の外部メモリとして使用を可能とする。接続は自宅内WIFI経由またはUSBケーブルによる直接接続の両方を可能とする。
【手続補正書】
【提出日】令和1年8月14日(2019.8.14)
【手続補正１】
【補正対象書類名】実用新案登録請求の範囲
【補正対象項目名】全文
【補正方法】変更
【補正の内容】
【実用新案登録請求の範囲】
【請求項１】
本キーホルダ新案はキーホルダ本体とキーホルダへ指示または情報受信するアプリの２つから構成され、キーホルダ本体は電池及びWIFI通信機能・LED点滅機能・バイブ（振動）機能を有する電子回路を内蔵し後述するアプリと通信してどこにあるかを音・光の点滅・振動などで示すことを特徴とする通信端末であり、アプリはPCまたはスマフォへ使用前にインストールしておき、キーホルダ本体と通信してキーホルダ本体を制御及び地図表示するものである。
【請求項２】
当キーホルダを装着した鍵等を探すことを容易にするための以下の機能を有するもので、インターネット接続しているスマフォやPCからの指示によりキーホルダがビープ音及び発光とバイブして雷鳴することによりどこにあるかを教える特徴を有する請求項１記載のキーホルダである。
【請求項３】
アプリのONボタン・OFFボタンにより操作し、地図表示により位置確認を可能とする特徴を有する請求項１記載のキーホルダである。
【請求項４】
本キーホルダが自宅内WIFI圏内の存在の有無よりアプリの表示で『自宅内』か『自宅外』が判別でき、『自宅内』であればアプリのＯＮボタンとＯＦＦボタン操作によりキーホルダを雷鳴させて場所の特定ができる特徴を有する請求項１記載のキーホルダである。
【請求項５】
本キーホルダが公共のWIFIに接続されている場合、指示アプリのONボタンを押下すと指示アプリの場所表示には『自宅外』と表示され且つキーホルダの場所が地図上に示され使用者はこの地図の場所に行き再度ONボタンを押下することによりキーホルダの雷鳴を開始させてキーホルダを回収できるが、キーホルダのＷＩＦＩ接続が切れた場合は指示アプリの場所表示は『位置不明』となる特徴を有する請求項１記載のキーホルダである。
【請求項６】
本キーホルダへマイクロSDカード等の小型メモリを装着することによりスマフォ・PC等の外部メモリとして使用を可能となり、接続は自宅内WIFI経由またはUSBケーブルによる直接接続の両方を可能とする特徴を有する請求項１記載のキーホルダである。